(57)【要約】【課題】丸形蛍光灯の照明器具に容易に取付可能なＬＥＤランプを提供すること。【解決手段】丸形蛍光灯の照明器具に取り付けられる、環状に形成されたＬＥＤランプは、ＬＥＤ素子が実装された少なくとも１以上のＬＥＤ基板と、電力を供給する電源基板と、ＬＥＤ基板と電源基板とが収容され、照明器具の丸形蛍光灯の取付部に取り付けられる環状の本体部と、電源基板へ電力を供給する、一端が本体部に収容され、他端にコネクタを有する電力線と、を備え、コネクタは、照明器具に設置されかつ丸形蛍光灯以外の他の電力供給部のソケットに接続される。【選択図】図１５
2017201615.tif 000002
【特許請求の範囲】
【請求項１】
丸形蛍光灯の照明器具に取り付けられる、環状に形成されたＬＥＤランプであって、
ＬＥＤ素子が実装された少なくとも１以上のＬＥＤ基板と、
前記ＬＥＤ基板に電力を供給する電源基板と、
前記少なくとも１以上のＬＥＤ基板と前記電源基板とが収容され、前記照明器具の前記丸形蛍光灯の取付部に取り付けられる環状の本体部と、
前記電源基板へ電力を供給する、一端が前記本体部に収容され、他端にコネクタを有する電力線と、
を備え、
前記コネクタは、前記照明器具に設置されかつ前記丸形蛍光灯以外の他の電力供給部のソケットに接続される、ＬＥＤランプ。
【請求項２】
前記丸形蛍光灯以外の他の電力供給部のソケットは、常夜灯としてのナツメ球のソケットである、請求項１に記載のＬＥＤランプ。
【発明の詳細な説明】
【技術分野】
【０００１】
本発明は、ＬＥＤランプであって、特に、丸形蛍光灯の照明器具に取り付け可能な、環状に形成されたＬＥＤランプに関する。
【背景技術】
【０００２】
近年、省電力・長寿命なＬＥＤ素子を光源に用いた照明器具の普及が進んでいる。それに伴い、既存の丸形蛍光灯の照明器具に、丸形蛍光灯と置換して取り付け可能なＬＥＤランプの需要が高まっている。このようなＬＥＤランプとして、例えば特許文献１には、既存の環形蛍光ランプ用の器具本体に簡易に取り付け可能としたものが開示されている。
【先行技術文献】
【特許文献】
【０００３】
【特許文献１】特開２０１２−２２８０８号公報
【発明の概要】
【発明が解決しようとする課題】
【０００４】
しかしながら、特許文献１に記載のＬＥＤランプは、丸形蛍光灯そのものをＬＥＤランプに置換するものではない。特許文献１に記載のＬＥＤランプは、既存の照明器具のホルダに取り付けるための丸形蛍光灯又はダミーランプを、ＬＥＤ基板の発光面でない方の面に装着したものであり、丸形蛍光灯単体と比較して取り付けに手間のかかる、煩雑な構造となっていた。また、ＬＥＤランプへの電力の供給が、安定器を介さずに行われるとの明確な記載はない。
【０００５】
本発明は、上述のような課題を解決するために、既存の丸形蛍光灯の照明器具に、より容易に取り付け可能な、環状に形成されたＬＥＤランプを提供することを目的とする。
【課題を解決するための手段】
【０００６】
上記目的の達成のため、本発明に係るＬＥＤランプは、ＬＥＤ素子が実装された少なくとも１以上のＬＥＤ基板と、ＬＥＤ基板に電力を供給する電源基板と、少なくとも１以上のＬＥＤ基板と電源基板とが収容され、丸形蛍光灯向け照明器具の、当該丸形蛍光灯の取付部に取り付けられる環状の本体部と、電源基板へ電力を供給する、一端が本体部に収容され、他端にコネクタを有する電力線と、を備え、コネクタは、照明器具に設置されかつ丸形蛍光灯以外の他の電力供給部のソケットに接続される、ものである。
【発明の効果】
【０００７】
本発明によれば、ＬＥＤ基板と電源基板とが収容された環状の本体部を、丸形蛍光灯の照明器具に取り付け、電源基板への電力線と、丸形蛍光灯へ電力を供給する電力線とを、照明器具が備える安定器を介さずに電気的に接続可能とすることにより、取り付けの容易なＬＥＤランプを提供することができる。また、ＬＥＤランプへの電力の供給が安定器を介さずに行われるため、当該安定器の劣化等による不具合を回避し、安全性を向上させることができる。
【図面の簡単な説明】
【０００８】
【図１】本発明の一実施形態に係るＬＥＤランプが取り付けられた、丸形蛍光灯用の照明器具の外観斜視図である。
【図２】本発明の一実施形態に係るＬＥＤランプの外観斜視図であって、（ａ）は上方（天井面側）からみた斜視図、（ｂ）は下方（床面側）からみた斜視図である。
【図３】本発明の一実施形態に係るＬＥＤランプの分解斜視図である。
【図４】電源基板の下方からみた斜視図である。
【図５】ＬＥＤ基板の下方から見た発光面側斜視図である。
【図６】本発明の一実施形態に係るＬＥＤランプの本体部の斜視図であって、（ａ）は上カバー部の下方から見た斜視図、（ｂ）は下カバー部の上方から見た斜視図である。
【図７】上カバー部と下カバー部とを係合させた場合の下方からみた透視図である。
【図８】本発明の一実施形態に係る環状のＬＥＤランプの環の周方向に直交する断面から、常夜灯の方向を俯瞰する俯瞰図である。
【図９】本発明の一実施形態に係るＬＥＤランプの下カバー部を外した状態の下面図である。
【図１０】本発明の一実施形態に係るＬＥＤランプの下カバー部を外した状態の下方からみた斜視図である。
【図１１】本発明の一実施形態に係る環状のＬＥＤランプの環の周方向に直交する断面図である。
【図１２】本発明の一実施形態に係るＬＥＤランプの下カバー部を外した状態の、下方からみた部分拡大図である。
【図１３】本発明の一実施形態に係る環状のＬＥＤランプの環の周方向に直交する断面図である。
【図１４】本発明の一実施形態に係るＬＥＤランプに電力を供給する変換アダプタであって、（ａ）は斜視図、（ｂ）は断面図である。
【図１５】（ａ）〜（ｄ）とも、本発明の一実施形態に係るＬＥＤランプを、丸形蛍光灯の照明器具へ接続する場合を説明する電気回路図である。
【図１６】（Ａ）は電圧降下が発生した場合におけるＬＥＤ素子への電力供給を停止する一例のブロック図、（Ｂ）は電圧降下が発生した場合におけるＬＥＤ素子への電力供給を阻止する一例のブロック図、である。
【図１７】制御部による消灯制御の一例のフロー図である。
【図１８】取付器具の一例を示すブロック図である。
【図１９】取付器具の他例を示すブロック図である。
【図２０】制御部による電圧降下が発生した場合におけるＬＥＤ素子への電力供給を起動電圧が安定してから停止する一例のフロー図である。
【図２１】制御部による起動電圧又は突入電流に応じてＬＥＤ素子を消灯させる場合のルーチンのフロー図である。
【図２２】（Ａ）は照明器具を下方から見たホルダ外向き状態の説明図、（Ｂ）は照明器具を下方から見たホルダ内向き状態の説明図、である。
【図２３】（Ａ）はホルダの側面図、（Ｂ）は要部の斜視図、である。
【図２４】バランス調整機能を付与した例を示し、（Ａ）はホルダにバランス調整ウエイト部材を設けた例を示す説明図、（Ｂ）はＬＥＤランプにバランス調整ウエイト部材を設けた例を示す説明図、である。
【図２５】（Ａ）はＬＥＤランプを上から見た説明図、（Ｂ）は下カバー部を取り外した状態でＬＥＤランプをしたから見た説明図、である。
【図２６】図２５（Ｂ）のＸ−Ｘ線拡大断面図である。
【図２７】（Ａ）はＬＥＤランプの開口とホルダの開口とが一致している状態の要部の説明図、（Ｂ）は（Ａ）の状態の断面図、（Ｃ）はＬＥＤランプの開口とホルダの開口とがずれている状態の要部の説明図、（Ｄ）は（Ｃ）の状態の断面図、である。
【図２８】雄側コネクタの一例を示し、（Ａ）は雄側コネクタの斜視図、（Ｂ）は雄側コネクタの平面図、（Ｃ）は雄側コネクタの側面図、である。
【図２９】雌側コネクタの一例を示し、（Ａ）は雌側コネクタの斜視図、（Ｂ）は雌側コネクタの平面図、（Ｃ）は雌側コネクタの側面図、である。
【図３０】コネクタカバーの一例を示し、平面側から見た分解斜視図である。
【図３１】コネクタカバーの一例を示し、底面側から見た分解斜視図である。
【図３２】コネクタカバーの一例を示し、（Ａ）は分解状態の断面図、（Ｂ）は結合状態の断面図、である。
【図３３】コネクタカバーの一例を示し、コネクタカバーにコネクタを収納した状態を示し、（Ａ）は上カバーを外した状態の要部の平面図、（Ｂ）は要部の断面図、である。
【図３４】コネクタカバーの他例を示し、コネクタカバーにコネクタを収納した状態を示し、（Ａ）は上カバーを外した状態の要部の平面図、（Ｂ）は要部の断面図、である。
【発明を実施するための形態】
【０００９】
以下に、本発明の一実施形態について図面を参照して説明する。なお、以下の説明においては、既存の丸形蛍光灯の照明器具に、丸形蛍光灯に置換して本発明に係るＬＥＤランプを装着した状態で説明する。
【００１０】
図１に示すように、照明器具１は、ＬＥＤランプ１０を覆うシェード２と、丸形蛍光灯やＬＥＤランプ１０へ電力を供給する電力線が収容され、家屋の天井面に予め設置された取付器具（引掛シーリングやローゼット等）に、電気的かつ機械的に接続される引掛アダプタ（図示せず）を先端に有するコード３とを備える。なお、本発明の一実施形態に係るＬＥＤランプ１０は、図１に示すペンダントライト型の照明器具１に限らず、シーリングライト型の、丸形蛍光灯の照明器具にも取り付けることができる。なおこれ以降、照明器具１は天井面に取り付けられ、ＬＥＤランプ１０の照射光は、下方（床面側）に向けて照射されるものとして説明する。すなわち、ＬＥＤランプ１０において、照明器具１に取り付けられた際の天井面側を上側、床面側を下側とする。また、本実施の形態に係る照明器具１は、後述するようにリモートコントロール式（リモコン式）に対応している。また、家屋の壁面に設けた固定スイッチと併用しても良い。
【００１１】
次に、ＬＥＤランプ１０について説明する。図２に示すように、ＬＥＤランプ１０は、上カバー部１１と下カバー部１２とからなる環状の本体部を備える。ここで、環状の本体部は、既存の丸形蛍光灯に置換できるよう、丸形蛍光灯の規格（例えば、３０形や３２形など）に沿った大きさとするのが好ましい。詳細は後述するが、上カバー部１１及び下カバー部１２は、環状のＬＥＤランプ１０の環の周方向に直交する断面が、それぞれ略半円弧状に形成され、環状の本体部の内部は空洞となっている。上カバー部１１は、例えばポリカーボネート、アクリル樹脂、ポリプロピレン等の透光性を有する材料に拡散剤を混入させて白色透明等に形成され、上カバー部１１と下カバー部１２とを相互に固定するためのネジが挿入されるネジ穴１５ａ〜１５ｅを備える。また、下カバー部１２は、ＬＥＤ素子が実装されたＬＥＤ基板の発光面を覆うもので、上カバー部１１と同一の材質で形成され、その内周面に、上カバー部１１のネジ穴１５ａ〜１５ｅに対応するネジ穴を備える。また、本体部には、端部にコネクタ１４を備えた、商用電力を電源基板に供給するための電力線１３が一部収容されている。すなわち、電力線１３は、一端が本体部に収容され、他端にコネクタ１４を有する。なお、図ではコネクタ１４をメス型で示してあるが、これに限られるものではなく、オス型でも良い。また、上カバー部１１は白色やグレー等の着色によって不透明に形成されても良いし、同一素材ではなく別素材でそれぞれ形成されても良い。そして、本実施の形態に係る照明器具１においては上カバー部１１と下カバー部１２とをネジで固定しているが、例えば一方に爪部、他方に爪受け部を設けるなどの嵌合又は係合手段、又は、接着剤による接着や溶着などの固着によって固定しても良い。
【００１２】
コネクタ１４は、照明器具１へ電力を供給する電力線に接続されるものである。ここで、図１５を用いて、本発明の一実施態様によるＬＥＤランプ１０への電力の供給について説明する。まず、図１５（ｃ）、（ｄ）は、一般的なシーリングライトの場合の回路図である。例えば一般的なシーリングライトに丸形蛍光灯を取り付けて用いる場合、図１５（ｃ）に示すように、外部電力２００を供給するための電力線を備える電源アダプタ２７０を、天井面に設置された取付器具（引掛けシーリング等）に取り付け、電源アダプタ２７０の電力線のコネクタへ、シーリングライト本体の電力線のコネクタを接続することで、シーリングライトへ電力が供給される。シーリングライト本体は、安定器２１０′、常夜灯としてのナツメ球２３０′、スイッチ２２０′、グロー球２４０′、丸形蛍光灯用ソケット２６０′を備え、丸形蛍光灯用ソケット２６０′に丸形蛍光灯２５０′が接続される。図１５（ｃ）に示すように、丸形蛍光灯２５０′には、安定器２１０′を介して電力が供給される。これに対し、本発明の一実施形態に係るＬＥＤランプ１０への電力供給は、電力線１３の端部のコネクタ１４を、電源アダプタ２７０に備えられた電力線のコネクタに接続することによって行うことができる。すなわち、図１５（ｄ）に示すように、ＬＥＤランプ１０へは、安定器２１０′を介さずに電力が供給される。
【００１３】
なお、図１に示すペンダントライト型の照明器具１の場合は、上述した電源アダプタに代わるものとして、照明器具１に一般的に備えられている常夜灯としてのナツメ球のソケットに装着する、変換アダプタを用いることができる。図１４に示すように、変換アダプタ１００は、電力線を収容したハーネス１０１、コネクタ１０２、ホルダ１０３、口金１０６とから構成される。変換アダプタ１００において、ハーネス１０１に収容された電力線と口金１０６とは電気的に接続されており、ハーネス１０１を挟むホルダ１０３が、ネジ１０７とナット１０８とで固定されたものである。変換アダプタ１００は、口金１０６がナツメ球用のソケットに装着された場合に、商用電力をハーネス１０１に取り出すことができ、コネクタ１０２を、ＬＥＤランプ１０のコネクタ１４に接続することにより、ＬＥＤランプ１０に電力を供給することができる。なお、コネクタ１０２の形状はこれに限られるものではなく、メス型であっても良い。また、口金１０６は、ナツメ球用のＥ１２タイプとすることができるが、これに限られるものではない。そして、ホルダ１０３はネジとナットでの固定ではなく、例えば一方に爪部、他方に爪受け部を設けるなどの嵌合又は係合手段、又は、接着剤による接着や溶着などの固着により固定しても良い。
【００１４】
ここで、図１５（ａ）、（ｂ）を用いて、ペンダントライト型の照明器具１の場合の、ＬＥＤランプ１０への電力の供給について説明する。図１５（ａ）、（ｂ）は、ペンダントライト型の場合の回路図である。ペンダントライト型の照明器具１は、図１５（ａ）に示すように、安定器２１０、ナツメ球２３０、スイッチ２２０、グロー球２４０、丸形蛍光灯用ソケット２６０を備え、丸形蛍光灯用ソケット２６０に、丸形蛍光灯２５０が接続され、丸形蛍光灯２５０には、安定器２１０を介して電力が供給される。これに対し、ＬＥＤランプ１０を照明器具１の取付部に取り付ける場合、上述のように、ナツメ球２３０のソケットに変換アダプタ１００が接続され、変換アダプタ１００にＬＥＤランプ１０が接続される。従って、ＬＥＤランプ１０へは、安定器２１０を介さずに電力が供給される。
【００１５】
次に、詳細は後述するが、ＬＥＤランプ１０の内部構造について図３を用いて簡単に説明する。図３に示すように、ＬＥＤランプ１０には、上述した上カバー部１１と下カバー部１２との間に、電源基板２０、ＬＥＤ基板３０ａ〜３０ｃが収容されている。下カバー部１２の内周面には、ネジ穴１７ａ〜１７ｅを有するボス１８ａ〜１８ｅが設けられ、上カバー部１１のネジ穴１５ａ〜１５ｅと下カバー部１２のネジ穴１７ａ〜１７ｅとをネジ４５ａ〜４５ｅで螺合することにより、上カバー部１１と下カバー部１２とが相互に固定される。なお、ネジ穴１７ａ〜１７ｅやボス１８ａ〜１８ｅは、上カバー部１１及び下カバー部１２の内周面において、ＬＥＤランプ１０の円中心側に位置するように設けられる。
【００１６】
電源基板２０は、例えばガラスエポキシ基板、紙フェノール基板等から成り、一方の面に電子部品２３，２４が、他方の面に、常夜灯用のＬＥＤ素子３１、リモコン用のセンサ素子２２が実装されている。なお、図４に、電源基板２０を下方からみた斜視図を示す。図３、図４において、簡単のため電子部品は２つのみ示してあるが、電子部品としては、過電流保護、ノイズカット、整流、平滑、調光制御などを行うための各種ダイオード、コンデンサ、トランス、ＩＣ、抵抗などの公知の複数の電子部品が、電源基板２０に実装されている。また、図３に示すように、電源基板２０は、常夜灯用のＬＥＤ素子３１が実装された面が下カバー部１２側を向くように配置される。さらに、電源基板２０の周縁部には、ネジ４５ａ〜４５ｅの挿入を妨げない位置に、図示しない切り欠き又は挿入孔が設けられている。また、電源基板２０の周縁部には、後述するＬＥＤ基板固定リブに対応する位置に切り欠き５２ａ〜５２ｃが、係止突起に対応する位置に切り欠き５０ａ、５０ｃが設けられている。
【００１７】
なお、図３には示していないが、電力線１３は、その先端が電源基板２０に電気的に接続されて後述する上カバー部１１に設けられた切り欠き（図５（ａ）の８０）に一部が位置し、先端に取り付けられたコネクタ１４が本体部の外部に位置するように配設されている。ここで、電力線１３は、電源基板２０のどちらの面に配設されても良いが、特に電源基板２０の、ＬＥＤ基板３０のＬＥＤ素子が実装された発光面の裏面側に対向する面であって、電子部品２３，２４等が実装されていない面に配線されることにより、電力線１３によってＬＥＤ素子３１の照射を妨げることがないという利点がある。
【００１８】
ＬＥＤ基板３０ａ〜３０ｃは、例えばガラスコンポジット基板、ガラスエポキシ基板、メタル基板等から成り、片面に複数のＬＥＤ素子３１が実装されている。なお、ＬＥＤ基板３０ａ〜３０ｃは、それぞれ同一の形状、ＬＥＤ素子配置を有し、汎用的に用いることができる。またこれ以降、「ＬＥＤ基板３０」と記載した場合、ＬＥＤ基板３０ａ〜３０ｃを指すものとする。また、図５に、ＬＥＤ基板３０を発光面側（ＬＥＤ素子３１が実装された側）からみた斜視図を示す。本発明の一実施形態によるＬＥＤランプ１０は、図３及び図５のように、３枚の弧状のＬＥＤ基板３０ａ〜３０ｃが、環状の本体部の内部に全体として略環形状となるように配置されて収容されている。このとき、ＬＥＤ基板３０ａ〜３０ｃは、発光面が下カバー部１２側となるように配置される。ＬＥＤ基板３０ａ〜３０ｃは、電源基板２０とＬＥＤ基板３０との間の空間を確保し、電源基板２０の位置決め及びその固定をするスペーサ４０や、上カバー部１１の内周面側に設けられた係止突起（図６の７０ａ〜７０ｄ）を挿入するための、複数の係止孔３２ａ〜３２ｉが設けられる。また、ＬＥＤ基板３０には、縁部に複数の切り欠き３３が設けられている。切り欠き３３は、ネジ４５の挿入を妨げない位置（すなわち、ネジ穴１５，１７を覆わない位置）に設けられる。なお、ＬＥＤ基板３０ａ〜３０ｃは、図示しないリード線やコネクタ等の接続部材により、隣接する基板同士が電気的につなぎ合わされている。また、電源基板２０とＬＥＤ基板３０との間には、図示しない絶縁シートが敷設されている。なお、ＬＥＤ基板３０は、弧状ではなく矩形であってもよく、例えば、図示しないリード線等で接続することによって全体として略環形状とならない配置でもよい。
【００１９】
なお、丸形蛍光灯の３０形、３２形、４０形のように、径の大きさが異なるＬＥＤランプを作成する際は、ＬＥＤ基板３０、上カバー部１１、及び、下カバー部１２とを拡大又は縮小させ、相似形状で用いることができる。これにより、製造が容易になり、部品数を増やすことなくコストを減らすことができる。
【００２０】
下カバー部１２の内周面には、図３のように複数のＬＥＤ基板固定リブ９２ａ〜９２ｆが設けられている。詳細は後述するが、リブ９２は、上カバー部１１の内周面に設けられたリブ（図６の７２）と対応する位置関係にあり、下カバー部１２のリブ９２と上カバー部１１のリブ７２とで、ＬＥＤ基板３０を挟持して固定する。なお、上述した電源基板２０の周縁部の切り欠きは、リブ７２によるＬＥＤ基板３０の挟持を妨げない位置にも設けられている。
【００２１】
次に、上カバー部１１と下カバー部１２が備えるリブや、係止突起について説明する。図６（ａ）は、上カバー部１１を下方からみた斜視図、図６（ｂ）は、下カバー部１２を上方からみた斜視図である。図６（ａ）に示すように、上カバー部１１の内周面には、ＬＥＤ基板３０を固定するＬＥＤ基板固定リブ７２ａ〜７２ｇ及び目印リブ７１ａ、７１ｂと、電源基板２０を固定する電源基板固定リブ６１ａ、６１ｂと、ＬＥＤ基板３０及び電源基板２０を固定する兼用リブ６０ａ、６０ｂと、ネジ穴１５ａ〜１５ｅが貫通したボス１６ａ〜１６ｅと、電力線１３を挿入する切り欠き８０とが設けられている。ボス１６ｃと目印リブ７１ａとは、補強リブ７３ｂによって連結されている。補強リブ７３ｂは、切り欠き８０に差し込まれる電力線１３を固定する。また、上カバー部１１の内周面には、さらに、２枚のリブを直交させた交線を、上カバー部１１の開口面側に突起状に延伸させた、係止突起７０ａ〜７０ｄが設けられている。ＬＥＤ基板固定リブ７２ａ〜７２ｇ、目印リブ７１ａ、７１ｂ、及び、兼用リブ６０ａ、６０ｂの先端は、環状の上カバー部１１の環の周方向と直交する断面において、上カバー部１１の周縁を越えた位置にある。従って、ＬＥＤランプ１０において、上記のリブにより固定されるＬＥＤ基板３０は、上カバー部１１側には位置せず、下カバー部１２側に位置する。電源基板固定リブ６１ａ、６１ｂは、ＬＥＤ基板固定用のリブ７２、目印リブ７１よりも高さが低く、環状の上カバー部１１の環の周方向と直交する断面において、電源基板２０を、上カバー部１１の周縁とほぼ同じ高さの位置で固定する。なお、兼用リブ６０ａ、６０ｂは、段差が一段設けられており、低い位置で電源基板２０を固定し、高い位置でＬＥＤ基板３０を固定する。係止突起７０ａ〜７０ｄは、ＬＥＤ基板３０の係止孔３２に挿入されて、ＬＥＤ基板３０を係止する。なお、図１に示すように、電源基板２０は弧状の形状を有し、上カバー部１１の一部に収容されるが、電源基板２０は、目印リブ７１ａ、７１ｂの間で、係止突起７０ａ、７０ｂが含まれない側に配置される。なお、電源基板は、弧状ではなく、略矩形状であっても良いし、複数に分割されたものでも良い。
【００２２】
図６（ｂ）に示すように、下カバー部１２の内周面には、ネジ穴１７ａ〜１７ｅを有するボス１８ａ〜１８ｅ、ＬＥＤ基板固定リブ９２ａ〜９２ｇ、９０ａ、９０ｂが設けられている。なお、図において９２ａ、９２ｃ、９２ｅ、９２ｆは見えない位置にあり示しておらず、図７を参照されたい。各リブは、上カバー部１１に設けられたＬＥＤ基板固定リブ７２ａ〜７２ｇ、目印リブ７１ａ、７１ｂに対応した位置にあり、ネジ４５ａ〜４５ｅの螺合によって上カバー部１１と下カバー部１２とが相互に固定された場合に、ＬＥＤ基板３０を挟んで固定する。ここで、上カバー部１１と下カバー部１２に設けられたリブの対応関係を、図７を用いて説明する。図７には示していないが、電源基板２０は、目印リブ７１ａと７１ｂとの間で、係止突起７０ａ、７０ｂを含む側に配置される。図７に示すように、上カバー部１１と下カバー部１２とが係合されると、ＬＥＤ基板固定リブ７２ａ〜７２ｇとＬＥＤ基板固定リブ９２ａ〜９２ｇとが、さらに、兼用リブ６０ａ、６０ｂと、ＬＥＤ基板固定リブ９０ａ、９０ｂとがそれぞれ対応して、これらのリブでＬＥＤ基板３０が挟まれて固定される。また、上カバー部１１に設けられた電源基板固定リブ６１ａ、６１ｂ、兼用リブ６０ａ、６０ｂの低い位置、及び、ボス１６ａ〜１６ｅの頂部に電源基板２０が配置され、上カバー部１１と下カバー部１２とが係合されると、ボス１６ａ〜１６ｅの頂部と下カバー部１２のボス１８ａ〜１８ｃの頂部との間に、電源基板２０が挟まれて支持される。
【００２３】
なお、図８には、環状のＬＥＤランプ１０の環の周方向に直交する断面から、常夜灯２１の方向を俯瞰する俯瞰図を示してある。図８に示すように、ＬＥＤ基板３０ａは、下カバー部１２に設けられたＬＥＤ基板固定リブ９２ａと、上カバー部１１に設けられたＬＥＤ基板固定リブ７２ａとの間で挟持されている。また、上カバー部１１と下カバー部１２とを、略半円弧状の断面を有する環状とすることによって、ＬＥＤ基板３０や電源基板２０を内部に収容することが可能となる。特に、電源基板２０をＬＥＤランプ１０の内部に収容できるため、丸形蛍光灯と同形状の、丸形蛍光灯の照明器具に容易に取り付け可能なＬＥＤランプ１０を実現することができる。
【００２４】
次に、ＬＥＤ基板３０、電源基板２０の本体部における位置について、図６〜図１０を用いて説明する。図９は、本発明の一実施形態によるＬＥＤランプ１０の下カバー部１２を外した状態の下面図（下カバー部１２側から見た図）、図１０は、下方からみた斜視図である。電源基板２０は、周縁部に設けられた切り欠き５２ａ〜５２ｃ、５０ａ、５０ｃに、それぞれ、上カバー部１１に形成されたＬＥＤ基板固定リブ７２ａ〜７２ｃ、係止突起７０ａ、７０ｂが位置するように、電源基板固定リブ６１ａ、６１ｂ、兼用リブ６０ａ、６０ｂに配設される。電源基板２０は、ＬＥＤ基板３０ａの発光面の反対側に、ＬＥＤ基板３０ａに対して層状に配置される。ＬＥＤ基板３０ｂの係止孔３２ｅ、３２ｆには、上カバー部１１の係止突起７０ｂ、７０ｃがそれぞれ挿入され、ＬＥＤ基板３０ｂが上カバー部１１に係止される。また、ＬＥＤ基板３０ｂは、目印リブ７１ｂ、ＬＥＤ基板固定リブ７２ｄ、７２ｅによって固定される。ＬＥＤ基板３０ｃの係止孔３２ｇ、３２ｉには、上カバー部１１の係止突起７０ｄ、７０ａがそれぞれ挿入され、ＬＥＤ基板３０ｃが上カバー部１１に係止される。また、ＬＥＤ基板３０ｃは、目印リブ７１ａ、ＬＥＤ基板固定リブ７２ｆ、７２ｇによって固定される。ＬＥＤ基板３０ａの係止孔３２ａ、３２ｃと、それら係止孔に対応する電源基板２０の位置には、スペーサ４０が挿入され、電源基板２０とＬＥＤ基板３０ａとの間の空間が確保されるとともに電源基板２０の短手方向の一端部の位置決めがなされ、電源基板２０が上下左右方向に固定される。
【００２５】
なお、本実施形態においては、電源基板２０とＬＥＤ基板３０とを層状に配置したが、他の発明思想として、電源回路の電子部品とＬＥＤ素子とを同一の基板に実装し、当該同一基板が、下カバー部ではなく上カバー部に収容されるような構成としても良い。又は、電源基板とＬＥＤ基板とを略同一平面上に配置し、それら電源基板とＬＥＤ基板とが上カバー部に収容される構成としても良い。これらのような構成により、上カバー部及び下カバー部がともにＬＥＤ素子により照射されるため、本体部が全体的に光を放射するＬＥＤランプを実現することができる。
【００２６】
図１１を参照すると、スペーサ４０は、例えばポリプロピレン等の絶縁性の樹脂から構成され、主部４２の両端に係止爪４１が形成されている。両端の係止爪４１は、電源基板２０とＬＥＤ基板３０の係止孔にそれぞれ挿入され、電源基板２０とＬＥＤ基板３０とを係止固定する。主部４２の長手方向の長さは、ＬＥＤ基板固定用のリブ７２と、電源基板固定リブ６１との間の距離を超えない長さとするのが好ましい。なお、図１１に示すように、ＬＥＤ基板３０は、環状のＬＥＤランプ１０の環の周方向に直交する断面において、下カバー部１２側に位置する。具体的には、本体部の内径ｒは２５ｍｍ、下カバー部１２の内周面における最下部とＬＥＤ基板３０の発光面との距離ｈは７．５ｍｍである。なお、ＬＥＤ基板３０の厚みは１．０ｍｍであるため、下カバー部１２の内周面における最下部とＬＥＤ基板３０の載置面との距離は、８．５ｍｍとなる。このような構成により、電源基板２０と上カバー部１１との間の空間が確保され、電源基板２０に実装される電子部品に対する自由度が高くなる。
【００２７】
ここで、上カバー部１１と下カバー部１２との係合について説明する。図１１に示すように、下カバー部１２の周縁部は、外周、内周ともに弧状の部分と比較して肉厚に構成され、ネジ穴１７の部分を除く全長に亘って係止溝４が設けられている。また、上カバー部１１の周縁部も同様に、弧状の部分と比較して肉厚に構成され、ネジ穴１５の部分を除く全長に亘って、下カバー部１２の係止溝に係合可能な係止壁５が設けられている。この、上カバー部１１の係止壁５と下カバー部１２の係止溝４とを係合させ、さらにネジ４５によって螺合させることで、上カバー部１１と下カバー部１２とを強固に係合することができる。上カバー部１１及び下カバー部１２の孤状部の厚みｄはほぼ同一に、例えば１．８ｍｍ〜２．２ｍｍの厚みで形成されているが、本実施形態において、上カバー部１１の係止壁５と下カバー部１２の係止溝４とを係合させた係合部６の厚みは、孤状部の厚みの約１．４５倍の厚みとなるように形成されている。なお、係合部６の厚みは、±０．３倍で形成することができ、弧状部の厚みの約１．２〜１．７倍の範囲で形成すれば良い。また、本体部の透過率は、７５％以上、さらには８５％以上となるように、その材質や厚みが選択されるのが好ましい。このとき、上カバー部１１と下カバー部１２とで、透過率を異ならせてもよく、上述のように、上カバー部１１は白色やグレー等の着色によって不透明に形成されても良い。したがって、上述した透過率は、上カバー部１１と下カバー部１２とで異なってもよい。なお、透過率とは、全てのＬＥＤ素子３１が点灯した際の全光束に対する本体部の全体（若しくは下カバー部１２の全体）での照明光として有効利用可能な割合を示す。換言すれば、誤差を考慮しない透過率を７５％とした場合、ＬＥＤ素子３１が点灯した全光束（１００％）のうち、７５％が内部反射しつつ照明光として利用され、２５％がロスとなることを意味する。また、上カバー部１１と下カバー部１２とで透過率を異ならせた場合には、下カバー部１２の透過率の割合を上カバー部１１の透過率の割合よりも高くし、全体として７５％以上、８５％以上を確保することも可能である。この際、上カバー部１１は、透過率よりも反射率を高くしたり、着色度合い（不透明感）を不均一としてもよい。したがって、透過率を７５％以上とした場合には、配光をより広い範囲に確保することができ、８５％以上とすることによって後述する２灯分の丸形蛍光灯の輝度を容易に確保することができる。
【００２８】
図９に示すように、ＬＥＤ基板３０には切り欠きが設けられ、さらに電源基板２０とＬＥＤ基板３０とは、その周縁部に設けられた切り欠きが重複する箇所が存在する。すなわち、本体部は、上カバー部１１の内周面から下カバー部１２の内周面まで連通する空間部を、その内部に有する。これにより、ＬＥＤ素子による照射光を上カバー部１１側にまで導光させることができ、照射範囲を広げることができる。なお、上述したように、上カバー部１１と下カバー部１２との係合部６は肉厚に形成されているため、ＬＥＤ素子３１から照射された照射光を反射させて、上カバー部１１側に導光させる効果がある。さらに、本体部の透過率が７５％以上であれば、導光の効果が高められ、天井面側を照射することができる。なお、上カバー部１１を不透明な部材で形成した場合においては、当該上カバー部１１で光が反射されて、下カバー部１２に光が到達して透過し、床面側をより強く照射することができる。また、上カバー部１１を特に不透明かつ反射率の高い部材（例えば白色とされたもの）で形成することにより、より反射効率を高めることができる。
【００２９】
なお、図８、図９に示すように、本発明の一実施形態によるＬＥＤランプ１０は、ＬＥＤ素子によって実現される常夜灯２１と、センサ素子２２とを備える。センサ素子２２は、図示しないリモコンからの操作入力に関する情報を受信する。図８、図９に示すように、常夜灯２１、センサ素子２２は、電源基板２０とＬＥＤ基板３０ａとが重複しない位置で、電源基板２０の下カバー部１２に対向する面上に設けられる。なお、電源基板２０とＬＥＤ基板３０ａとが重複しない位置には上記常夜灯２１、センサ素子２２以外にも、人感センサなどの各種センサや、インジケータ等の機能性素子部品を配置することができる。なお、図９において、説明の便宜上、ＬＥＤ素子３１のＬＥＤ基板３０に対する実装数及び大きさを実際のものと異ならせて示してあるが、ＬＥＤ基板３０の発光面の総面積に対する全てのＬＥＤ素子３１の占有率が５．０％以上とするのが望ましい。なお、この５．０％以上の占有率に関する詳細は後述する。
【００３０】
上述した、常夜灯２１、センサ素子２２、スペーサ４０、係止突起７０の詳細について、拡大図を用いて説明する。図１２は、下カバー部１２を取り外した状態の、常夜灯２１を含む部分を拡大した斜視図である。図に示すように、常夜灯２１、センサ素子２２は、ＬＥＤ基板３０ａと３０ｃとが離れて配置され、電源基板２０がＬＥＤ基板３０と重複していない位置に配設される。また、上述したように、ＬＥＤ基板３０ａと電源基板２０とは、スペーサ４０によってその間の距離が固定される。ＬＥＤ基板３０ｃは、係止突起７０ａによって上カバー部１１に固定される。なお、図１１において、電源基板２０をネジ４５ａが貫通しているが、ネジ４５ａが位置する箇所に、電源基板２０に切り欠きを設けても良い。また、常夜灯２１等をＬＥＤ基板３０上ではなく電源基板２０上に設ける構成とすることにより、環状のＬＥＤランプ１０を実現するのに同一形状のＬＥＤ基板３０を用いることができ、ＬＥＤ基板３０の汎用性を損なうことがないという利点がある。
【００３１】
また、図１３に、環状のＬＥＤランプ１０の環の周方向に直交する、ネジ４５を含む断面図を示す。図１３に示すように、上カバー部１１と下カバー部１２とを固定するネジ４５を挿入するネジ穴１５、１７は、それぞれ、上カバー部１１のボス１６、下カバー部１２のボス１８に設けられる。そのため、ＬＥＤランプ１０の本体部は、通気孔が形成されることがなく密閉されており、ＬＥＤランプ１０の内部に虫や埃等が侵入するのを防止することができる。
【００３２】
なお、図５ではＬＥＤ素子３１が略円周上に配置されているが、本発明はこれに限られるものではなく、ＬＥＤ素子３１は千鳥状に配置されても良い。また、ＬＥＤ素子に昼光色、電球色など色味の異なるものを配置してリモコンによって調色が可能であっても良いし、ＬＥＤ素子に流れる電流値等を制御してリモコンによって調光が可能であっても良い。
【００３３】
なお、既存の丸形蛍光灯の照明器具は、丸形蛍光灯を２灯取り付けるものが一般的である。本発明の一実施形態によるＬＥＤランプ１０によれば、丸形蛍光灯の照明器具に取り付けた際に、１灯のＬＥＤランプ１０で、２灯分の丸形蛍光灯の明るさを実現することが可能となる。ＬＥＤ素子３１の性能、上カバー部１１、下カバー部１２の厚みや透過率、ＬＥＤ基板３０の本体部内における載置位置等、様々なパラメータによってＬＥＤランプ１０の明るさを制御することができるが、２灯分の丸形蛍光灯の明るさをＬＥＤランプ１０単体で実現するための数値例を、以下に記載する。なお、以下の数値は、ＬＥＤ素子３１に流れる電流値を定格電流（例えば１５０ｍＡ）未満であって、電流値の範囲を１１０ｍＡ（適正下限電流値）〜１４０ｍＡ（適正上限電流値）の間で制御し、２灯分の丸形蛍光灯の輝度を確保しつつ、ＬＥＤ基板、電源基板、本体等の温度を商品上必要とされる上限値を超えないように設定した上でのものである。
【００３４】
以下、具体的に実施例をあげる。３０形のＬＥＤランプ１０は、定格電流１５０ｍＡを流し、ジャンクション温度が１１５℃のときに約４８ｌｍとなるＬＥＤ素子３１が、１枚あたりで３３個実装されたＬＥＤ基板３０を３枚用いる。この３０形のＬＥＤランプ１０において、電流値は約１１０ｍＡに設定し、ＬＥＤ基板３０に実装された全ＬＥＤ素子３１における発光面の総面積は、ＬＥＤ基板３０の面積に対して１３．２％である。また、上カバー部１１及び下カバー部１２の弧状部の厚みを２ｍｍ、下カバー部１２の内周面における最下部とＬＥＤ基板３０の発光面との距離を本体部の内径の約１／３、本体部の透過率を８５％としている。また、４０形のＬＥＤランプ１０は、前述の３０形のＬＥＤランプ１０と比較して、電流値を約１４０ｍＡに設定し、ＬＥＤ基板３０に実装された全ＬＥＤ素子３１における発光面の総面積を、ＬＥＤ基板３０の面積に対して７．２％とした点が異なる。なお、これらは実施例であって、例えばＬＥＤランプ１０で用いるＬＥＤ素子３１の総数は８０個以上が好ましく、これ以上の数のＬＥＤ素子３１を用いるのがより好ましい。上述の実施例では、実施形態と同様にＬＥＤ基板３０を３枚用いるため、１枚のＬＥＤ基板３０に実装されるＬＥＤ素子数は３３個である。なお、ＬＥＤランプ１０で用いられるＬＥＤ素子３１の総数を８０個とすると、適正上限電流値の電流を設定した場合に２灯分の丸形蛍光灯に相当させるのに必要な輝度を確保できる。また、ＬＥＤ基板３０に実装された全ＬＥＤ素子３１における発光面の総面積（上記占有率に相当）は、適正上限電流値であればＬＥＤ基板３０の発光面の総面積に対して５．０％以上とし、適正下限電流値であれば１１．０％以上の範囲の面積であれば良い。さらに、上カバー部１１及び下カバー部１２の弧状部の厚さを１．８〜２．２ｍｍ、下カバー部１２の内周面における最下部とＬＥＤ基板３０の発光面との距離を、本体部の内径の９分の２〜９分の４の範囲とし、特に約３分の１とするのが好ましい。また、上述したように、本体部の透過率は、７５％以上、好ましくは８５％以上とするのが良い。
【００３５】
上述のように、本発明の一実施形態によるＬＥＤランプ１０によれば、ＬＥＤ基板３０と電源基板２０とが収容された環状の本体部を、丸形蛍光灯の照明器具１に取り付け、電源基板２０への電力線と、丸形蛍光灯へ電力を供給する電力線とを、照明器具が備える安定器を介さずに電気的に接続可能な、取り付けの容易なＬＥＤランプを提供することができる。さらに、本発明の一実施形態によれば、上カバー部１１と下カバー部１２とで電源基板２０、ＬＥＤ基板３０を挟む構成とすることにより、組立が容易であるという利点がある。
【００３６】
なお、本実施形態では、常夜灯用のＬＥＤ素子３１は電源基板２０に実装されているが、ＬＥＤ基板３０に実装されても良いし、ＬＥＤ基板３０及び電源基板２０とは別の基板に実装されても良い。
【００３７】
ところで、既設の照明器具に装着した丸形蛍光灯に替えて、ＬＥＤ素子を実装した蛍光灯形のＬＥＤランプを取り付けるに際して、照明器具の種類やメーカによっては、さまざまな機能等を搭載したものがある。
【００３８】
例えば、既設の照明器具にあっては、リモートコントロール装置によってＯＮ／ＯＦＦや調光を可能としたもの、家屋の壁面等に設置のスイッチによりＯＮ／ＯＦＦを可能としたものなど、スイッチ機能及びスイッチ制御だけでも多岐にわたる。
【００３９】
しかも、このようなＯＮ／ＯＦＦ或は調光のためのスイッチ機能やスイッチ制御は、手元のプルスイッチ８の操作によるＯＮ／ＯＦＦを優先としたもの、或は、プルスイッチ８の操作によるＯＮ／ＯＦＦとは独立した割り込み信号として受け付けるもの等がある。
【００４０】
したがって、これら各種のスイッチ機能及びスイッチ制御を実現する場合のように、回路上において安定器等の各種電子部品を配置することが考えられる。また、このような照明器具で固有の機能を実現するために配置した電子部品は、照明器具のカバー内や取付器具等に実装することが多い。
【００４１】
この際、既設の照明器具に蛍光灯形のＬＥＤランプを取り付けた場合、商用電力（ＡＣ１００Ｖ）の入力に対して整流・降圧等を行ったうえでＬＥＤ素子に電力供給をする回路設定に対し、電圧降下の要因となる電子部品等が存在していると、ＬＥＤ素子の点灯時の電圧・電流値が設定上と異なってしまうという問題があった。
【００４２】
したがって、このような不測の電子部品（配線ケーブルを含む）等の設置により電圧降下が発生した場合、或は、安定器を介して接続してしまった場合には、ＬＥＤ素子への電力供給を停止又は阻止することによってＬＥＤ素子の点灯条件を一定の条件で点灯させるのが望ましい。
【００４３】
すなわち、ＬＥＤランプは、丸形蛍光灯が取り付けられる取付器具に配される、環状に形成されたＬＥＤランプであって、丸形蛍光灯に電力を供給するための電力線と接続されるコネクタと、ＬＥＤ素子が実装された環状のＬＥＤ基板と、ＬＥＤ基板に電力を供給する弧状の電源基板と、コネクタが接続される、ＬＥＤ基板及び電源基板が収容される環状の本体部と、取付器具が有する電気回路又は電子回路を介してコネクタと電力線とが電気的に接続されたことを検知した場合にＬＥＤ素子を消灯する消灯制御部と、を備えることにより、既存の丸形蛍光灯の照明器具を利用して取り付けた場合に、ＬＥＤ素子の点灯条件を一定の条件で点灯させることができる。なお、適合器具か否かを電圧降下によって判定するタイミングとしては、例えば、電源が接続されたとき、又は、図示を略すリモートコントロール装置によって点灯ボタンが押下されたときに、チェック回路が適合器具か否かを判定するのが望ましい。また、適合器具であるとは判定しなかった場合は、ＬＥＤ素子を点灯させないようにするほか、不適合器具であることを利用者に認識させるための報知出力、例えば、常夜灯２１を数回点滅させるのが望ましい。なお、常夜灯２１を点滅させるための電力の供給は、上述したＬＥＤ素子の点灯条件を一定の条件で点灯させるための電力で足りる。この際、常夜灯２１に替えてＬＥＤ素子を単純に数回点滅させるといった報知出力としてしまうと、利用者が照明器具の故障等と勘違いしてしまい易くなってしまうため、何らかのリズムに応じて点滅させてもよい。
【００４４】
以下、このような不測な電圧降下が発生した場合（安定器を介して接続してしまった場合を含む）にＬＥＤ素子３１への電力供給を停止又は阻止する具体例を説明する。
【００４５】
図１６（Ａ）は、このような不測な電圧降下が発生した場合におけるＬＥＤ素子３１への電力供給を停止する一例のブロック図、図１６（Ｂ）は、このような不測な電圧降下が発生した場合におけるＬＥＤ素子３１への電力供給を阻止する一例のブロック図、である。
【００４６】
図１６において、商用電力等の外部電力２００から電力供給を受けると、電源アダプタ２７０と同等の機能を実装した電源回路２０１は、整流部２０２から電力供給部２０３を介してＬＥＤ素子３１へと電力供給を行う概略構成を採用している。
【００４７】
整流部２０２は、詳細には図示しないが、例えば、外部電力２００からの交流電源（ＡＣ）を受けて直流出力を生成するもので、例えば、全波整流回路の出力端子間に平滑コンデンサを接続したものである。
【００４８】
電力供給部２０３は、上述した整流部２０２の平滑コンデンサに直流電圧変換回路等を接続して構成されている。なお、電力供給部２０３には、ＬＥＤ素子３１を除く電子部品、例えば、上述した常夜灯用のＬＥＤ素子３１、リモコン用のセンサ素子２２、電子部品２３，２４などを含む。すなわち、電力供給部２０３は、電源基板２０とＬＥＤ素子３１を除くＬＥＤ基板３０とを含む。
【００４９】
一方、外部電力から電源回路２０１への電力供給時、具体的には、ペンダントライト型の照明器具１であれば、家屋の天井面に予め設置された引掛シーリングやローゼット等の取付器具２０４とコード（電力線）３の一端に設けた引掛アダプタ等のコネクタ２０５とを電気的かつ機械的に接続した場合に、取付器具２０４に何らかの電気回路や電子回路（配線コード等を含む）が電気抵抗となって電圧降下の要因となることが想定される。なお、例えば、図１５（ｂ）に示すように、変換アダプタ１００よりも上流側（外部電力２００側）のスイッチ２２０の場合も電圧降下の要因の一部とすることも可能である。また、これら安定器を含む各種電子部品の配置は、変換アダプタ１００よりも上流側に限定されず、変換アダプタ１００よりも下流側でも対応可能である。
【００５０】
そこで、このように配線コード等を含む電子部品からなる電気回路又は電子回路を取付器具２０４が有している場合のように、取付器具２０４が有する電気回路又は電子回路を介して（経由して）コネクタ２０５とコード３とが電気的に接続されたことを検知した場合にはＬＥＤ素子３１を消灯させる制御部（消灯制御部）２０６を有する。
【００５１】
制御部２０６は、コード３の下流側にて測定した入力電圧の電圧値と、予め設定した基準電圧の電圧値とを比較し、入力電圧の電圧値が基準電圧の電圧値よりも所定値以上低い場合に、取付器具２０４が有する電気回路又は電子回路を介してコネクタ２０５とコード３とが電気的に接続されたとして電力供給部２０３を制御し、ＬＥＤ素子３１を消灯させる。
【００５２】
具体的には、図１６（Ａ）に示すように、制御部２０６は、入力電圧の電圧値が基準電圧の電圧値よりも所定値以上低い場合に、コネクタ２０５からの電力供給を停止するよう電力供給部２０３を制御することでＬＥＤ素子３１を消灯する。
【００５３】
また、図１６（Ｂ）に示すように、制御部２０６は、入力電圧の電圧値が基準電圧の電圧値よりも所定値以上低い場合に、コネクタ２０５からの電力供給を停止するようスイッチＳＷを切り替えて電力供給部２０３からの電力供給を阻止することでＬＥＤ素子３１を消灯してもよい。
【００５４】
この際、基準電圧の電圧値とは、電気回路又は電子回路を介さずにコネクタ２０５とコード３とが電気的に接続されたと仮定した場合の基準電圧の電圧値のことを意味する。なお、基準電圧の電圧値は、これに限定されず、他の方式（例えば、予め設定しているＬＥＤランプの定格値など）でもよい。
【００５５】
図１７は、制御部２０６による消灯制御の一例のフロー図である。
【００５６】
ステップＳ１において、制御部２０６は、外部電力２００からの供給が開始されると、ステップＳ２において入力電圧の電圧値を測定し、ステップＳ３に移行する。
【００５７】
ステップＳ３において、制御部２０６は、入力電圧の電圧値と、予め設定した基準電圧の電圧値とを比較してステップＳ３に移行する。
【００５８】
ステップＳ４において、制御部２０６は、ステップＳ３で比較した結果、入力電圧の電圧値が基準電圧の電圧値よりも所定値以上低いか否かを判定する。制御部２０６は、入力電圧の電圧値が基準電圧の電圧値よりも所定値以上低いと判定した場合（Ｙｅｓ）には、ステップＳ５に移行する。一方、制御部２０６は、入力電圧の電圧値が基準電圧の電圧値よりも所定値以上低いと判定しなかった場合（Ｎｏ）には、ステップＳ７に移行する。
【００５９】
ステップＳ５において、制御部２０６は、電力供給部２０３への電力供給を停止してステップＳ６に移行する。
【００６０】
ステップＳ６において、制御部２０６による電力供給部２０３への電力供給の停止により、ＬＥＤ素子３１への電力供給も停止となり、結果的に、ＬＥＤ素子３１が消灯する。
【００６１】
なお、取付器具２０４としては、例えば、図１８に示すように、電気回路又は電子回路からなる器具２０７と、この器具２０７の電気配線等を考慮して電源回路２０１のコネクタ２０５と雌雄を異ならせたコネクタ２０８と、を備えているものも含まれる。
【００６２】
さらに、取付器具２０４としては、例えば、図１９に示すように、取付器具２０４の内部に安定器等の電子回路（又は電気回路）２０９を配置したものもある。したがって、このような電子回路２０９が安定器であった場合、ＬＥＤ素子３１への電力供給は行わない。
【００６３】
また、上記の例ではＬＥＤ素子３１への電力供給を行う前に（又は行ったとき）の入力電圧の電圧値と基準電圧の電圧値とを比較した例を述べたが、ＬＥＤ素子３１に電力供給を行い、起動電圧が安定したうえで、入力電圧の電圧値と基準電圧の電圧値とを比較する用にしてもよい。なお、図１８及び図１９において、図１６と同一の構成には、同一の符号を付してその説明を省略する。
【００６４】
以下、ＬＥＤ素子３１への電力供給を行い、起動電圧が安定したうえで入力電圧の電圧値と基準電圧の電圧値とを比較する場合の制御部２０６の制御例を図２０のフロー図に基づいて説明する。
【００６５】
ステップＳ１１において、制御部２０６は、外部電力２００からの供給が開始されると、ステップＳ１２においてＬＥＤ素子３１への電力供給を開始し、ステップＳ１３に移行する。
【００６６】
ステップＳ１３において、制御部２０６は、起動電圧が安定したか否かを判定する。制御部２０６は、起動電圧が安定したと判定した場合（Ｙｅｓ）にはステップＳ１４に移行する。制御部２０６は、起動電圧が安定したと判定しなかった場合（Ｎｏ）にはステップＳ１２にループして引き続きこのルーチンを監視する。なお、制御部２０６は、起動電圧が安定したか否かの判定は、例えば、電圧を測定して電圧波形が落ち着いたとき、初手時間経過したとき、など適宜である。
【００６７】
ステップＳ１４において、制御部２０６は、入力電圧の電圧値を測定し、ステップＳ１５に移行する。
【００６８】
ステップＳ１５において、制御部２０６は、入力電圧の電圧値と、予め設定した基準電圧の電圧値とを比較してステップＳ１６に移行する。
【００６９】
ステップＳ１６において、制御部２０６は、ステップＳ１５で比較した結果、入力電圧の電圧値が基準電圧の電圧値よりも所定値以上低いか否かを判定する。制御部２０６は、入力電圧の電圧値が基準電圧の電圧値よりも所定値以上低いと判定した場合（Ｙｅｓ）には、ステップＳ１７に移行する。一方、制御部２０６は、入力電圧の電圧値が基準電圧の電圧値よりも所定値以上低いと判定しなかった場合（Ｎｏ）には、ステップＳ１８に移行する。
【００７０】
ステップＳ１７において、制御部２０６は、ＬＥＤ素子３１への電力供給を停止してこのルーチンを終了する。
【００７１】
ステップＳ１８において、制御部２０６は、ＬＥＤ素子３１への電力供給を継続してこのルーチンを終了する。
【００７２】
さらに、制御部２０６は、起動電圧の電圧値又は突入電流の電流値、或は、起動電圧の電圧波形又は突入電流の電流波形を監視し、その値或は波形に応じてＬＥＤ素子３１を消灯させてもよい。
【００７３】
図２１は、制御部２０６により、このような起動電圧の電圧値又は突入電流の電流値、或は、起動電圧の電圧波形又は突入電流の電流波形に応じてＬＥＤ素子３１を消灯させる場合のルーチンのフロー図である。なお、図１７のフロー図を参照して説明したルーチンと同一のルーチンの説明は省略する。また、図２０に示したルーチンへの転用も可能である。
【００７４】
ステップＳ２２において、制御部２０６は、起動電圧の電圧値又は突入電流の電流値、（或は、起動電圧の電圧波形又は突入電流の電流波形）を測定し、ステップＳ４へと移行する。
【００７５】
そして、制御部２０６は、起動電圧の電圧値又は突入電流の電流値が所定値以下である場合にはＬＥＤ素子３１を消灯し、起動電圧の電圧値又は突入電流の電流値が所定値以下である場合にはＬＥＤ素子３１の点灯を継続する。
【００７６】
＜補足＞
このように、（１）丸形蛍光灯が取り付けられる取付器具に配される、環状に形成されたＬＥＤランプであって、丸形蛍光灯に電力を供給するための電力線と接続されるコネクタと、ＬＥＤ素子が実装された環状のＬＥＤ基板と、ＬＥＤ基板に電力を供給する弧状の電源基板と、コネクタが接続される、ＬＥＤ基板及び電源基板が収容される環状の本体部と、取付器具が有する電気回路又は電子回路を介してコネクタと電力線とが電気的に接続されたことを検知した場合にＬＥＤ素子を消灯する消灯制御部と、を備えるＬＥＤランプとすることも可能である。
【００７７】
この際、（２）消灯制御部は、電力線の下流側にて測定した、入力電圧又は突入電流に基づいて、取付器具が有する電気回路又は電子回路を介してコネクタと電力線とが電気的に接続されたことを検知してＬＥＤ素子を消灯する、ものとしてもよい。
【００７８】
また、（３）消灯制御部は、電力線の下流側にて測定した入力電圧の電圧値と、予め設定した基準電圧の電圧値とを比較し、入力電圧の電圧値が基準電圧の電圧値よりも所定値以上低い場合に、取付器具が有する電気回路又は電子回路を介してコネクタと電力線とが電気的に接続されたことを検知してＬＥＤ素子を消灯する、ものとしてもよい。
【００７９】
また、（４）消灯制御部は、電気回路又は電子回路を介してコネクタと電力線とが電気的に接続された場合の入力電圧の電圧値と、電気回路又は電子回路を介さずにコネクタと電力線とが電気的に接続されたと仮定した場合の基準電圧の電圧値と、の電圧差が所定値以上である場合に、取付器具が有する電気回路又は電子回路を介してコネクタと電力線とが電気的に接続されたことを検知してＬＥＤ素子を消灯する、ものとしてもよい。
【００８０】
また、（５）消灯制御部は、コネクタから電力線への起動電圧が安定したうえで、入力電圧の電圧値と基準電圧の電圧値とを比較する、ものとしてもよい。
【００８１】
さらに、（６）消灯制御部は、入力電圧の電圧値が基準電圧の電圧値よりも所定値以上低い場合に、コネクタからの電力供給を停止することでＬＥＤ素子を消灯する、ものとしてもよい。
【００８２】
ところで、既設の照明器具に装着した丸形蛍光灯に替えて、ＬＥＤ素子を実装した蛍光灯形のＬＥＤランプを取り付けるに際して、照明器具の種類やメーカによっては、丸形蛍光灯を支持する支持係合部が少ない場合（例えば、対向する２か所）がある。
【００８３】
このような構成の既設の照明器具では、外部電力からの電力供給を支持係合部の一つに設けた４ピン端子受けを介して受ける構成となっているため、例え２つの支持係合部であっても丸形蛍光灯が不安定な支持状態とはなり難くなっている。
【００８４】
しかしながら、このような既設の照明器具にＬＥＤランプを装着した際に、外部電力からの電力供給は４ピン端子受けを介さずに行う構成を採用した場合、不安定な支持状態となり易い。そこで、既設の照明器具にＬＥＤランプを装着した場合であっても、ＬＥＤランプを安定させることができる例を示す。
【００８５】
なお、以下の説明においては、上記実施の形態と同一の構成には同一の符号を付してその詳細な説明を省略する。
【００８６】
図２２に示すように、照明器具１は、ＬＥＤランプ１０を覆うシェード２と、丸形蛍光灯やＬＥＤランプ１０へ電力を供給する電力線が収容され、家屋の天井面に予め設置された図示を略す引掛シーリングやローゼット等の取付器具に、電気的かつ機械的に接続される引掛アダプタ（後述する）を先端に有するコード（図示せず）とを備える。
【００８７】
シェード２は、支持係合部材９を介してＬＥＤランプ１０を保持する金属製の底板フレーム７に保持されている。したがって、上述したコード３の下端は、この底板フレーム７を吊り下げ状態で保持している。
【００８８】
底板フレーム７は、例えば、薄肉金属のプレス成形により、シェード２の形状を含むデザインに応じて任意形状の底面を有する鍋状に形成している。底板フレーム７の底板表面には、白色等の反射膜を塗膜形成している。底板フレーム７は、図示しない上板フレームとで既設の照明器具としての各種電子回路等を収納する照明器具本体を構成する。底板フレーム７には、丸形蛍光灯を支持する一対の支持係合部材９の一端を支持している。
【００８９】
支持係合部材９は、ＬＥＤランプ１０の中心を挟んで対向する位置に設けている。この一対の支持係合部材９のうち、一方の支持係合部材９Ａは、丸形蛍光灯に設けた４ピン端子と係合しての外部電力２００からの電力を供給する４ピン端子受け（図示せず）を有しており、幅広の硬質樹脂から構成している。また、一対の支持係合部材９のうち、他方の支持係合部材９Ｂは、丸形蛍光灯を環状の軸線と直行する断面方向で抱き込むように弾性を有する樹脂又はバネ性を有する薄肉金属によって所定形状に形成したものである。なお、これら支持係合部材９は、既設の照明器具１に予め設けたもので、その具体的な構成等は公知のものを用いることができる。
【００９０】
ここで、ＬＥＤランプ１０は、上述したように環状の軸線と直行する断面方向の形状が略真円であるため、４ピン端子による給電方式を採用していない。したがって、ＬＥＤランプ１０は、周方向にズレが発生したり、振動等によってグラ付きが発生したりなど、不安定な状態となる。
【００９１】
そこで、ＬＥＤランプ１０は、例えば、着脱可能な一つ以上のホルダ５５を用いて安定した保持状態としている。なお、ホルダ５５は、図２２（Ａ）に示すように外向きでもよいし、図２２（Ｂ）に示すように内向きでもよい。また、ホルダ５５を２つ配置した場合には、一方を外向き、他方を内向きとしてもよい。
【００９２】
図２３（Ａ）に示すように、ホルダ５５は、合成樹脂等の一体成型品であり、ＬＥＤランプ１０を抱き込む円環状の保持部５５ａと、保持部５５ａの一端から延びる舌片部５５ｂと、を備える。なお、舌片部５５ｂには、例えば、両面テープを貼り付けてもよいし、ネジ・ピン・クリップ等の挿入孔５５ｃを設けてもよい。
【００９３】
これにより、ＬＥＤランプ１０を照明器具１に装着したときに、支持係合部材９が存在していない適宜位置において、図２３（Ｂ）に示すように、ＬＥＤランプ１０に保持部５５ａを嵌め込み、舌片部５５ｂを底板フレーム７に当接させる。この際、ＬＥＤランプ１０をより安定して支持するために、両面テープによって舌片部５５ｂと支持係合部材９とを貼りつけてもよい。また、底板フレーム７に適当な孔等が開設されている場合には、挿入孔５５ｃからネジ・ピン・クリップ等の固定部材を挿入して固定することも可能である。ところで、底板フレーム７の底面形状やＬＥＤランプ１０との離間距離に応じて舌片部５５ｂの形状を任意（例えば、Ｌ字状）形状としてもよいし、変形可能としてもよい。
【００９４】
このように、特に、既設の照明器具１に予め受けている支持係合部材９が少ない場合には、後付可能なホルダ５５を用いてＬＥＤランプ１０を支持することにより、ＬＥＤランプ１０を安定して支持することができる。また、後付可能な支持係合部材９を用いる例を示したが、例えば、ＬＥＤランプ１０に安定化のための部材を予め設置してもよい。
【００９５】
なお、図２４（Ａ）に示すように、上述した電源基板２０には、ＩＣ・コンデンサ・抵抗等の各種電子部品に加え、外部電力として供給される交流電力を直流電力に変換してＬＥＤ素子３１に給電する電源回路を収納した電源ボックス２７を有する場合がある。このような電源ボックス２７を含む電源基板２０は、プラスチック、アルミニウム又はステンレス等の材料からなり、その外観形状は環の周方向に沿うように長く延びた直方体である場合が多い。したがって、電源基板２０は、その配置や構成によって、ＬＥＤランプ１０の全体に対して片寄った重量バランスとなってしまう虞がある。
【００９６】
そこで、このような重量バランスが崩れるような場合、例えば、電源基板２０の重心Ｇ（又は電源ボックス２７の重心等）を基準として、ＬＥＤランプ１０の環の中心を挟む対向位置に、ホルダ５５を介してバランス調整ウエイト部材Ｗを設けてもよい。
【００９７】
これにより、既設の照明器具１にＬＥＤランプ１０を取り付けた場合のバランス調整を容易に行うことができる。なお、図２４（Ａ）に図示した電源基板２０や電源ボックス２７の大きさを含む配置等は説明の便宜上のものであって、実際の配置を示すものではない。また、図２４（Ｂ）に示すように、ＬＥＤランプ１０に電源基板２０と同じ大きさ及び重量の疑似の電源基板２０’を配置するとともに、この疑似の電源基板２０’に電源ボックス２７を同じ大きさ及び重量のバランス調整ウエイト部材Ｗを設けてもよい。なお、バランス調整ウエイト部材Ｗは、ＬＥＤランプ１０と直接又は間接的にバランス調整が取れていれば、例えば疑似の電源基板２０’を廃止するなどは適宜である。
【００９８】
ところで、上記実施の形態では、ホルダ５５を底板フレーム７に当接させる例を示したが、底板フレーム７の形状等は照明器具１のデザインによって多種多様であるため、底板フレーム７に当接させずに安定化させるようにすることも可能である。
【００９９】
図２５〜図２７は、照明器具１に既設の部品として、支持係合部材９Ａの丸形蛍光灯への外部電力からの電力供給を行うための４ピン端子受け（図示せず）を利用するホルダ５６の例を示す。すなわち、丸形蛍光灯を複数の支持係合部材９で支持する場合、支持係合部材９の設置数や位置は、丸形蛍光灯を安定して支持するように設計している。そのうえで、上述したように、丸形蛍光灯の４ピン端子を４ピン端子受けに係合させることで丸形蛍光灯の周方向へのズレやグラ付きを抑制するようにしている。
【０１００】
そこで、ホルダ５６は、図２５に示すように、支持係合部材９Ａ（図２２参照）の４ピン端子受けと係合する１本以上のダミーピン５７を有する。これにより、ホルダ５６によってＬＥＤランプ１０を支持することで、ホルダ５５を用いる必要がなくなるばかりでなく、ＬＥＤ素子３１の一部を外側から覆ってしまい、明るさを犠牲にすることも抑制することができる。
【０１０１】
なお、上記実施の形態では、給電方式を照明器具１の常夜灯用の口金１０６から受けるようにした変換アダプタ１００を例示したが、図２５（Ａ）に示すように、家屋の天井面に予め設置した図示を略す引掛シーリングやローゼット等に電気的かつ機械的に接続する引掛アダプタ１１３を有する変換アダプタ１１０としてもよい。
【０１０２】
この変換アダプタ１１０は、電力線を収容したハーネス１１１と、コネクタ１１２と、引掛アダプタ１１３と、を有する。変換アダプタ１１０において、ハーネス１１１に収容した電力線と引掛アダプタ１１３とは電気的に接続されている。変換アダプタ１１０は、引掛アダプタ１１３を引掛シーリングやローゼット等に装着した場合に、商用電力をハーネス１１１に取り出すことができ、コネクタ１１２を、ＬＥＤランプ１０のコネクタ１４に接続することにより、ＬＥＤランプ１０に電力を供給することができる。したがって、引掛アダプタ１１３には、ＬＥＤランプ１０に電力供給する際に電力処理（例えば、電源アダプタ２７０に類する処理）が必要な場合には、この引掛アダプタ１１３の内部に対応する電子回路を配置することもできる。なお、図２５（Ａ）に示した変換アダプタ１１０は、説明の便宜上のものであり、実際には、照明器具１を天井から吊り下げ可能となるように、適正に配置するものである。
【０１０３】
図２６に示すように、ホルダ５６は、略半円状の上ホルダ５８と下ホルダ５９との合わせ構造となっている。上述したダミーピン５７は、支持係合部材９Ａに設けた４ピン端子受け（図示せず）に係合するよう、丸形蛍光灯の４ピン端子と同様に上ホルダ５８に４ピン設けている。なお、ダミーピン５７は、上ホルダ５８と一体に形成してもよいし、金属製のものを後付け（若しくはインサート成形）してもよい。
【０１０４】
上ホルダ５８は、例えば、有色不透明の合成樹脂からなり、その両端に厚肉のストッパ５８ａ，５８ｂを内側に突出するように一体に形成している。また、上ホルダ５８は、一端に一対の係合穴５８ｃを形成し、他端中央に一つの係合穴５８ｄを係合している。ストッパ５８ａ，５８ｂは、上カバー部１１に形成した厚肉部分の段差面１１ｂ，１１ｃと係合可能となっている。
【０１０５】
下ホルダ５９は、例えば、無色透明の合成樹脂からなり、常夜灯２１及びセンサ素子２２と対向するように下カバー部１２に形成した開口１２ａと一致する開口５９ａと、両端に係合穴５８ｃ，５８ｄと係合可能なランス状の係合爪５９ｂ，５９ｃと、を一体に備えている。
【０１０６】
なお、上ホルダ５８と下ホルダ５９とは、何れも有色不透明若しくは無色透明又は有色透明の合成樹脂で形成することができる。この際、特に下ホルダ５９を透明樹脂から構成すれば、ＬＥＤ素子３１の発光による照明光の有効利用を図ることができる。また、上ホルダ５８と下ホルダ５９とは、例えば、一端側にそれぞれ位置する一対の係合穴５８ｃ及びこの一対の係合穴５８ｃに係合する一対の係合爪５９ｂを廃止し、薄肉ヒンジによって一体に形成することも可能である。なお、他端側にそれぞれ位置する係合穴５８ｄ及びこの一対の係合穴５８ｄに係合する係合爪５９ｃを廃止して薄肉ヒンジ構造を採用してもよい。
【０１０７】
このような構成とすれば、上ホルダ５８と下ホルダ５９とを、開口１２ａと開口５９ａとが一致するように組み付けることにより、常夜灯２１及びセンサ素子２２の機能を損なうことなく、ＬＥＤランプ１０にホルダ５６を装着することができる。
【０１０８】
そして、ＬＥＤランプ１０を照明器具１に装着する場合には、ホルダ２６を支持係合部材９Ａに支持させた後に、ＬＥＤランプ１０に支持係合部材９Ｂを係合させる。この際、ホルダ２６は、図２７（Ａ）に示すように、段差面１１ｃにストッパ５８ｂを当接させた状態と、図２７（Ｂ）に示すように、段差面１１ｂにストッパ５８ａを当接させた状態の範囲とで、ＬＥＤランプ１０の胴回り方向に回転可能となっている。これにより、ダミーピン５７を支持係合部材９Ａに設けた４ピン端子受け（図示せず）に容易に係合させることができる。したがって、開口５９ａは、この胴回り方向の回転範囲において常夜灯２１及びセンサ素子２２の機能を損なわない範囲の長さ及び幅とする。
【０１０９】
このように、ホルダ２６に支持係合部材９Ａに設けた４ピン端子受け（図示せず）と係合するダミーピン５７を設け、支持係合部材９Ａを有効利用することにより、ＬＥＤランプ１０が、環の周方向にズレたり、グラ付いたりすることを抑制することができ、安定して支持することができる。
【０１１０】
次に、上述した変換アダプタ１１０のコネクタ１１２及びＬＥＤランプ１０のコネクタ１４の具体例を説明する。なお、コネクタ１１２及びコネクタ１４には、雌雄が異なれば基本的にどちら側を採用してもかまわない。したがって、以下に示す例では、コネクタ１１２を雄側コネクタ１２０、コネクタ１４を雌側コネクタ１４０として説明する。
【０１１１】
雄側コネクタ１２０は、図２８に示すように、電力線を収容したハーネス１１１と接続されて高電位側と低電位側とを識別可能とした接点部１２１，１２２と、矩形枠上のフレーム１２３と、雌側コネクタ１４０と係合して抜け止め状態を確保するための楔状の係合爪１２４と、ハーネス１１１との接続部分を保護する屈曲部１２５と、を一体に形成している。
【０１１２】
接点部１２１，１２２は、例えば、角柱状に突出する方を高電位側の接点部１２１とし、円柱状に突出する方を低電位側の接点部１２２とするなど、形状で識別可能としている。この際、例えば、高電位側の接点部１２１を黒色に塗装し、低電位側の接点部１２２を白色に塗装して色によって識別可能としてもよい。
【０１１３】
フレーム１２３は、接点部１２１と接点部１２２の一面側において雌側コネクタ１４０を支持して型の発生を抑制することができる。また、フレーム１２３は、雄側コネクタ１２０を雌側コネクタ１４０に嵌め込む際のガイド機能を具備させることも可能である。さらに、フレーム１２３は、接点部１２１，１２２の機能を損なわないように外枠状とすることにより、接点部１２１，１２２を保護するバンパーとして機能させることも可能である。
【０１１４】
係合爪１２４は先端が下向きに屈曲した片持ちの弾性舌片状に形成されており、雌側コネクタ１４０に弾発係合することで雌側コネクタ１４０に対して雄側コネクタ１２０を抜け止め状態とする。
【０１１５】
雌側コネクタ１４０は、図２９に示すように、電力線を収容した電力線１３と接続されて高電位側と低電位側とを識別可能とした接点挿入部１４１，１４２を形成した受部１４３と、片持ちで弾性を有する一対の羽根部１４４，１４５と、雄側コネクタ１２０の係合爪１２４と係合するように受部１４３から突出する被係合部１４６と、電力線１３との接続部分を保護する屈曲部１４７と、を一体に形成している。
【０１１６】
接点挿入部１４１は、例えば、高電位側の接点部１２１が挿入される矩形穴状とされ、接点挿入部１４２は、例えば、低電位側の接点部１２２が挿入される丸形穴状とされている。この際、丸形穴状の接点挿入部１４２の開口径は、高電位側の接点部１２１が入り込まない大きさとすることによって高低逆に挿入してしまうことを防止している。
【０１１７】
羽根部１４４，１４５は、受部１４３の先端寄り側面から後方に向かって広がるように伸びており、弾性を有している。なお、羽根部１４４，１４５の具体的な機能は後述する。
【０１１８】
被係合部１４６は、接点挿入部１４１，１４２に接点部１２１，１２２を挿入した際に、その押し込み操作力によって係合爪１２４が弾性変形し、さらなる押し込みによって係合爪１２４が被係合部１４６に弾発係合する。
【０１１９】
ところで、雄側コネクタ１２０と雌側コネクタ１４０とは、図３０〜図３３又は図３４に示すコネクタカバー１５０，１６０によって塵埃等から保護することができる。
【０１２０】
図３０〜図３３に示すコネクタカバー１５０は、上カバー１５１と下カバー１５２との合わせ構造によって内部で結合状態の雄側コネクタ１２０と雌側コネクタ１４０とを覆うようになっている。なお、この上カバー１５１と下カバー１５２との「上下」とは説明の便宜上のものであって、特定方向を限定する意味での上下ではない。また、以下に示す例では、上カバー１５１と下カバー１５２とは、結合状態の雌雄コネクタ１２０，１４０の全体を覆うように半割としているが、半割でなくてもよい。また、以下の説明においては、雌雄コネクタ１２０，１４０の結合方向、すなわち、ハーネス１１１，１３の延在方向に沿う方向を前後方向（又は長さ方向）とし、その前後方向と直行する方向を左右方向（又は幅方向）とする。
【０１２１】
上カバー１５１は、樹脂の一体成型により周壁を有する略矩形形状を呈し、前後両壁面に形成した略半楕円形状の切欠部１５１ａ,１５１ｂと、幅方向の両側面に一対の被係合舌片１５１ｃと、内壁面に幅方向内向きに突出する複数のリブ１５１ｄと、を一体に有している。被係合舌片１５１ｃの中央には、被係合穴１５１ｅを形成している。
【０１２２】
下カバー１５２は、樹脂の一体成型により周壁を有する略矩形形状を呈し、前後両壁面に形成した略半楕円形状の切欠部１５２ａ,１５２ｂと、幅方向の両側面に一対の係合突起１５２ｃと、内壁面に幅方向内向きに突出する複数のリブ１５２ｄと、係合突起１５２ｃと対向するように底面に形成した工具挿入孔１５２ｅと、を一体に有している。
【０１２３】
切欠部１５１ａ,１５１ｂと切欠部１５２ａ,１５２ｂとは、上下カバー１５１，１５２を重ね合わせたときに互いに対向する位置に形成している。これにより、雌雄コネクタ１２０，１４０の屈曲部１２５，１４７が貫通するようになっている。なお、屈曲性を維持するために屈曲部１２５，１４７を蛇腹状等に形成した場合には、その凹部に切欠部１５１ａと切欠部１５２ａ及び切欠部１５１ｂと切欠部１５２ｂとが噛み込むように構成することも可能である。
【０１２４】
このような構成において、雄側コネクタ１２０と雌側コネクタ１４０とを結合した状態で、上カバー１５１の被係合穴１５１ｅに下カバー１５２の係合突起１５２ｃを係合させることにより、上カバー１５１と下カバー１５２とが結合状態となる。この際、図３３（Ｂ）に示すように、被係合舌片１５１ｃと下カバー１５２の周壁面の少なくとも工具挿入孔１５２ｅに対応する部分との間は下方に向かうほど拡開するように傾斜している。これにより、上カバー１５１と下カバー１５２との会合状態を解除する際には、工具挿入孔１５２ｅからマイナスドライバーの先端を挿入して被係合舌片１５１ｃを外側に変位させることによって被係合穴１５１ｅと係合突起１５２ｃとの係合状態を解除する際の操作性を向上させている。
【０１２５】
上カバー１５１の複数のリブ１５１ｄと下カバー１５２の複数のリブ１５２ｄとは、上下カバー１５１，１５２を重ね合わせたときに互いに対向する位置に形成している。
【０１２６】
図３４は、図３０〜図３３に示すコネクタカバー１５０よりも小型化したものである。具体的にコネクタカバー１６０は、コネクタカバー１５０に対して一方の雌側コネクタ１４０の屈曲部１４７をコネクタカバー１６０の外側に位置させて前後方向の長さを短くするとともに、肉厚の扁平化を図ったものである。この際、上カバー１６１と下カバー１６２の前後方向の一方である雌側コネクタ１４０の屈曲部１４７が位置する周壁面には屈曲部１４７の先端と係合する凹部１６１ａ，１６２ａを形成している。また、下カバー１６２の内周壁面には、羽根部１４４，１４５と係合する羽根係合凹部１６２ｂを形成している。なお、下カバー１６２には下カバー１５２と同様に係合突起１６２ｃを形成しているさらに、上カバー１６１の底面内壁（上面内壁）には、係合爪１２４の基部側突起１２４ａと係合する特記係合凹部１６１ｂを形成している。これにより、雄側コネクタ１２０及び雌側コネクタ１４０の双方において前後方向の抜け止め効果と左右上下方向のガタの発生を抑制している。
【０１２７】
本発明のＬＥＤランプ１０は、上記の実施の形態に限定されるものでなく、特許請求の範囲に記載した技術的範囲には、発明の要旨を逸脱しない範囲内で種々、設計変更した形態が含まれることに留意されたい。例えば、上述の数値例は一例であって、これに限られるものではない。
【符号の説明】
【０１２８】
１      照明器具
９      支持係合部材
１０      ＬＥＤランプ
１１      上カバー部
１２      下カバー部
１３      電力線
１４      コネクタ
２０      電源基板
２１      常夜灯
２２      センサ素子
３０      ＬＥＤ基板
３１      ＬＥＤ素子
５５      ホルダ
５６      ホルダ
５７      ダミーピン
５８      上ホルダ
５９      下ホルダ
１００      変換アダプタ
１０１      ハーネス
１０２      コネクタ
１０３      ホルダ
１０６      口金
１０７      ネジ
１１０      変換アダプタ
１１１      ハーネス
１１２      コネクタ
１１３      引掛アダプタ
２００      外部電力
２１０      安定器
２５０      丸形蛍光灯
【図１】
2017201615.tif 000003
【図２】
2017201615.tif 000004
【図３】
2017201615.tif 000005
【図４】
2017201615.tif 000006
【図５】
2017201615.tif 000007
【図６】
2017201615.tif 000008
【図７】
2017201615.tif 000009
【図８】
2017201615.tif 000010
【図９】
2017201615.tif 000011
【図１０】
2017201615.tif 000012
【図１１】
2017201615.tif 000013
【図１２】
2017201615.tif 000014
【図１３】
2017201615.tif 000015
【図１４】
2017201615.tif 000016
【図１５】
2017201615.tif 000017
【図１６】
2017201615.tif 000018
【図１７】
2017201615.tif 000019
【図１８】
2017201615.tif 000020
【図１９】
2017201615.tif 000021
【図２０】
2017201615.tif 000022
【図２１】
2017201615.tif 000023
【図２２】
2017201615.tif 000024
【図２３】
2017201615.tif 000025
【図２４】
2017201615.tif 000026
【図２５】
2017201615.tif 000027
【図２６】
2017201615.tif 000028
【図２７】
2017201615.tif 000029
【図２８】
2017201615.tif 000030
【図２９】
2017201615.tif 000031
【図３０】
2017201615.tif 000032
【図３１】
2017201615.tif 000033
【図３２】
2017201615.tif 000034
【図３３】
2017201615.tif 000035
【図３４】
2017201615.tif 000036
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
丸形蛍光灯の照明器具に取り付けられる、環状に形成されたＬＥＤランプであって、
ＬＥＤ素子が実装された少なくとも１以上のＬＥＤ基板と、
前記ＬＥＤ基板に電力を供給する電源基板と、
前記少なくとも１以上のＬＥＤ基板と前記電源基板とが収容され、前記照明器具の前記丸形蛍光灯の取付部に取り付けられる環状の本体部と、
前記電源基板へ電力を供給する、一端が前記本体部に収容され、他端にコネクタを有する電力線と、
を備え、
前記コネクタは、前記丸形蛍光灯に供給する電力を安定させるための安定器を備える前記照明器具に設置されかつ前記丸形蛍光灯以外の他の電力供給部のソケットに接続され、前記他の電力供給部から前記安定器を介さずに、前記電源基板へ電力を供給可能であり、
前記他の電力供給部から前記安定器を介して前記電源基板へ電力を供給した場合において、前記電源基板へ入力される電圧の電圧値が、予め設定した基準電圧の電圧値よりも所定値以上低いときに、前記ＬＥＤ素子を消灯する制御部をさらに備える
ＬＥＤランプ。
【請求項２】
前記丸形蛍光灯以外の他の電力供給部のソケットは、常夜灯としてのナツメ球のソケットである、請求項１に記載のＬＥＤランプ。